(57)【要約】【課題】モータ本体の電気部品に洗浄剤や水などの液体が付着することを防止できるモータの防水構造、排水ポンプ及び空気調和機を提供する。【解決手段】空気調和機は排水ポンプを備えている。排水ポンプはモータと防水構造９を備えている。モータは羽根車を回転する。防水構造９は上ケース２５と下ケース２６と貫通孔２７と係止突起２８を備えている。上ケース２５は周壁３０を備えている。下ケース２６は底板３２とこの底板３２から立設した立設壁３３を備えている。貫通孔２７は周壁３０を貫通している。係止突起２８は立設壁３３から凸で貫通孔２７に係止する。防水構造９は周壁３０の内面に立設壁３３から重なり係止突起２８が貫通孔２７に係止してケース２５，２６内にモータのモータ本体を収容する。貫通孔２７の高さＴ３よりも立設壁３３の高さＴ２が高い。【選択図】図８
2008291780.tif 000002
【特許請求の範囲】
【請求項１】
出力軸を下方に位置付け、かつ前記出力軸を回転駆動するモータ本体を上方に位置付けて用いられるモータの前記モータ本体に液体が付着することを防止するモータの防水構造において、
筒状の外壁を備えた上ケースと、
平板状の底板と当該底板の外縁部から立設した立設壁とを備えた下ケースと、
前記外壁を貫通した貫通孔と、
前記立設壁から凸でかつ前記貫通孔に係止可能な係止突起と、を備え、
前記外壁の内面に前記立設壁から重なりかつ前記貫通孔に前記係止突起が係止することで、前記上ケースと前記下ケースとの間に前記モータ本体を収容するとともに、
前記貫通孔に前記係止突起が係止した状態で、前記貫通孔の前記底板の底面から上部までの高さよりも、前記立設壁の前記底面から上端までの高さが高く形成されていることを特徴とするモータの防水構造。
【請求項２】
前記下ケースの底板から立設し、かつ前記立設壁よりも内側に配置された内壁を備えたことを特徴とする請求項１記載のモータの防水構造。
【請求項３】
前記上ケースに前記内壁の上端部が当接する当接部が設けられていることを特徴とする請求項２記載のモータの防水構造。
【請求項４】
前記当接部が、前記上ケースの外周に向かうにしたがって、徐々に下ケースの底板に近づく方向に傾斜していることを特徴とする請求項３記載のモータの防水構造。
【請求項５】
前記上ケースに前記立設壁と前記内壁との間に向かって立設した中間壁が設けられていることを特徴とする請求項２乃至請求項４のうちいずれか一項に記載のモータの防水構造。
【請求項６】
前記内壁の前記底面から上端までの高さが、前記立設壁の高さよりも高く形成されていることを特徴とする請求項２乃至請求項５のうちいずれか一項に記載のモータの防水構造。
【請求項７】
前記立設壁の互いの間に前記係止突起を位置付ける位置にスリットが形成されていることを特徴とする請求項１乃至請求項６のうちいずれか一項に記載のモータの防水構造。
【請求項８】
互いの間に前記係止突起を位置付けるスリット間の間隔が、前記貫通孔の幅よりも大きいことを特徴とする請求項７記載のモータの防水構造。
【請求項９】
下方に位置付けられた出力軸と、上方に位置付けられかつ前記出力軸を回転駆動するモータ本体とを備えたモータと、
前記出力軸に取り付けられた羽根車と、
前記モータ本体に液体が付着することを防止するモータの防水構造とを備えた排水ポンプにおいて、
前記モータの防水構造として、請求項１乃至請求項８のうちいずれか一項に記載のモータの防水構造を備えたことを特徴とする排水ポンプ。
【請求項１０】
請求項９に記載の排水ポンプを備えたことを特徴とする空気調和機。
【発明の詳細な説明】
【技術分野】
【０００１】
この発明は、例えば、空気調和機の排水ポンプに用いられるモータの防水構造、この防水構造を備えた排水ポンプ及び当該排水ポンプを備えた空気調和機に関する。
【背景技術】
【０００２】
従来、建造物の天井に埋め込まれる空気調和機には、ドレンパン内に溜まった水を排出するための排水ポンプ（例えば、特許文献１参照）が用いられている。この種の排水ポンプは、ハウジングと、モータと、このモータによって回転される羽根車とを備えている。ハウジングには、ドレンパン内に望むポンプ吸込口と、ドレン排出口とが設けられている。
【０００３】
モータは、下方に配置される出力軸と、上方に配置され、かつ当該出力軸を回転駆動するモータ本体とを備えている。羽根車は、出力軸に取り付けられて、前述したポンプ吸込口内に配置されている。前述した排水ポンプは、モータが羽根車を回転して、当該羽根車がポンプ吸込口から水を吸い込んで、ドレン排出口を通して外部に、前述したドレンパン内に溜まった水を排出する
【特許文献１】特開２０００−３２０４８１号公報
【発明の開示】
【発明が解決しようとする課題】
【０００４】
前述した特許文献１などに示された排水ポンプを備えた空気調和機は、加圧された洗浄液や水などが吹き付けられて、洗浄されることがある。前述した空気調和機に用いられる排水ポンプのモータは、特に、コイルなどの電気部品に前述した洗浄液や水などが付着することは望ましくない。
【０００５】
したがって、本発明の目的は、モータ本体の電気部品に洗浄剤や水などの液体が付着することを防止できるモータの防水構造、排水ポンプ及び空気調和機を提供することにある。
【課題を解決するための手段】
【０００６】
前記課題を解決し目的を達成するために、請求項１に記載の本発明のモータの防水構造は、出力軸を下方に位置付け、かつ前記出力軸を回転駆動するモータ本体を上方に位置付けて用いられるモータの前記モータ本体に液体が付着することを防止するモータの防水構造において、筒状の外壁を備えた上ケースと、平板状の底板と当該底板の外縁部から立設した立設壁とを備えた下ケースと、前記外壁を貫通した貫通孔と、前記立設壁から凸でかつ前記貫通孔に係止可能な係止突起と、を備え、前記外壁の内面に前記立設壁から重なりかつ前記貫通孔に前記係止突起が係止することで、前記上ケースと前記下ケースとの間に前記モータ本体を収容するとともに、前記貫通孔に前記係止突起が係止した状態で、前記貫通孔の前記底板の底面から上部までの高さよりも、前記立設壁の前記底面から上端までの高さが高く形成されていることを特徴としている。
【０００７】
請求項２に記載の本発明のモータの防水構造は、請求項１に記載のモータの防水構造において、前記下ケースの底板から立設し、かつ前記立設壁よりも内側に配置された内壁を備えたことを特徴としている。
【０００８】
請求項３に記載の本発明のモータの防水構造は、請求項２に記載のモータの防水構造において、前記上ケースに前記内壁の上端部が当接する当接部が設けられていることを特徴としている。
【０００９】
請求項４に記載の本発明のモータの防水構造は、請求項３に記載のモータの防水構造において、前記当接部が、前記上ケースの外周に向かうにしたがって、徐々に下ケースの底板に近づく方向に傾斜していることを特徴としている。
【００１０】
請求項５に記載の本発明のモータの防水構造は、請求項２乃至請求項４のうちいずれか一項に記載のモータの防水構造において、前記上ケースに前記立設壁と前記内壁との間に向かって立設した中間壁が設けられていることを特徴としている。
【００１１】
請求項６に記載の本発明のモータの防水構造は、請求項２乃至請求項５のうちいずれか一項に記載のモータの防水構造において、前記内壁の前記底面から上端までの高さが、前記立設壁の高さよりも高く形成されていることを特徴としている。
【００１２】
請求項７に記載の本発明のモータの防水構造は、請求項１乃至請求項６のうちいずれか一項に記載のモータの防水構造において、前記立設壁の互いの間に前記係止突起を位置付ける位置にスリットが形成されていることを特徴としている。
【００１３】
請求項８に記載の本発明のモータの防水構造は、請求項７に記載のモータの防水構造において、互いの間に前記係止突起を位置付けるスリット間の間隔が、前記貫通孔の幅よりも大きいことを特徴としている。
【００１４】
請求項９に記載の本発明の排水ポンプは、下方に位置付けられた出力軸と、上方に位置付けられかつ前記出力軸を回転駆動するモータ本体とを備えたモータと、前記出力軸に取り付けられた羽根車と、前記モータ本体に液体が付着することを防止するモータの防水構造とを備えた排水ポンプにおいて、前記モータの防水構造として、請求項１乃至請求項８のうちいずれか一項に記載のモータの防水構造を備えたことを特徴としている。
【００１５】
請求項１０に記載の本発明の空気調和機は、請求項９に記載の排水ポンプを備えたことを特徴としている。
【００１６】
請求項１に記載された本発明によれば、外壁を貫通した貫通孔よりも立設壁が高く形成されているので、貫通孔内に浸入しようとする洗浄液や水などの液体が立設壁を越えて下ケース内に浸入することを防止できる。
【００１７】
請求項２に記載された本発明によれば、立設壁よりも内側に内壁を設けているので、たとえ立設壁を越えて下ケース内に浸入した液体が内壁よりも内側に浸入することを防止できる。
【００１８】
請求項３に記載された本発明によれば、上ケースに内壁の上端部が当接する当接部を設けているので、下ケース内に浸入した液体が内壁よりも内側に浸入することを確実に防止できる。
【００１９】
請求項４に記載された本発明によれば、当接部が外周に向かうにしたがって徐々に底板に近づく方向に傾斜しているので、確実に内壁の上端部が当接でき、下ケース内に浸入した液体が内壁よりも内側に浸入することをより確実に防止できる。
【００２０】
請求項５に記載された本発明によれば、上ケースに立設壁と内壁との間に向かって立設した中間壁を設けているので、たとえ立設壁を越えて下ケース内に浸入した液体が内壁にたどり着くことを防止できる。
【００２１】
請求項６に記載された本発明によれば、内壁が立設壁よりも高く形成されているので、たとえ立設壁を越えて下ケース内に浸入した液体が直接内壁を越えることを防止できる。
【００２２】
請求項７に記載された本発明によれば、立設壁に互いに間に係止突起を位置付けるスリットを設けている。このため、立設壁と内壁との間に侵入した水などの液体をスリットを通して、外部に排出することができる。
【００２３】
また、スリットを通して、上ケース及び下ケースの内外を連通できるので、勿論、ケースの内外を雰囲気が移動することを許容できる。
【００２４】
請求項８に記載された本発明によれば、スリット間の間隔が貫通孔の幅よりも大きく形成されているので、係止突起が貫通孔に係止すると、貫通孔が係止突起と立設壁とによって確実にふさがれる。
【００２５】
請求項９に記載された本発明によれば、前述したモータの防水構造を備えているので、貫通孔内に浸入しようとする洗浄液や水などの液体が立設壁を越えて下ケース内に浸入することを防止できる。
【００２６】
請求項１０に記載された本発明によれば、前述した排水ポンプを備えているので、貫通孔内に浸入しようとする洗浄液や水などの液体が立設壁を越えて下ケース内に浸入することを防止できる。
【発明の効果】
【００２７】
以上説明したように請求項１に記載の本発明は、貫通孔内に浸入しようとする洗浄液や水などの液体が立設壁を越えて下ケース内に浸入することを防止できるので、洗浄液や水などの液体がモータ本体の電気部品に付着することを防止できる。
【００２８】
請求項２に記載の本発明は、立設壁を越えて下ケース内に浸入した液体が内壁よりも内側に浸入することを防止できるので、洗浄液や水などの液体がモータ本体の電気部品に付着することを防止できる。
【００２９】
請求項３に記載の本発明は、下ケース内に浸入した液体が内壁よりも内側に浸入することを確実に防止できるので、洗浄液や水などの液体がモータ本体の電気部品に付着することを防止できる。
【００３０】
請求項４に記載の本発明は、当接部に確実に内壁の上端部が当接でき、下ケース内に浸入した液体が内壁よりも内側に浸入することをより確実に防止できるので、洗浄液や水などの液体がモータ本体の電気部品に付着することを防止できる。
【００３１】
請求項５に記載の本発明は、たとえ立設壁を越えて下ケース内に浸入した液体が内壁にたどり着くことを防止できるので、洗浄液や水などの液体がモータ本体の電気部品に付着することを防止できる。
【００３２】
請求項６に記載の本発明は、たとえ立設壁を越えて下ケース内に浸入した液体が直接内壁を越えることを防止できるので、洗浄液や水などの液体がモータ本体の電気部品に付着することを防止できる。
【００３３】
請求項７に記載の本発明は、立設壁と内壁との間に侵入した水などの液体をスリットを通して、外部に排出することができるので、当該液体がモータ本体の電気部品に付着することを防止できる。
【００３４】
また、スリットを通してケースの内外を雰囲気が移動することを許容するので、ケース内の雰囲気が膨張又は収縮しても、雰囲気が出力軸を回転自在に支持する軸受の隙間を通ることがない。このため、当該軸受の潤滑油が前述した隙間を通る雰囲気によって、外部に押し出されることを防止できる。
【００３５】
請求項８に記載の本発明は、係止突起が貫通孔に係止すると、貫通孔が係止突起と立設壁とによって確実にふさがれるので、貫通孔を通してケース内に液体が浸入することを防止でき、当該液体がケース内に収容されたモータ本体の電気部品に付着することを防止できる。
【００３６】
請求項９に記載の本発明は、前述したモータの防水構造を備えているので、液体がケース内に収容されたモータ本体の電気部品に付着することを防止できる。
【００３７】
請求項１０に記載の本発明は、前述した排水ポンプを備えているので、液体がケース内に収容されたモータ本体の電気部品に付着することを防止できる。
【発明を実施するための最良の形態】
【００３８】
以下、本発明の一実施形態に係る空気調和機の排水ポンプのモータの防水構造を図１乃至図１２を参照して、説明する。
【００３９】
本実施形態にかかる空気調和機１は、図１に示すように、建造物の天井に埋め込まれる室内機２を備えている、室内機２は、加圧された洗浄剤や水などの液体が吹き付けられて、洗浄される。室内機２は、図１に示すように、天板３と、図示しない熱交換器と、ドレンパン４と、排水ポンプ５などを備えている。ドレンパン４は、熱交換器と排水ポンプ５とを収容する。ドレンパン４内には、熱交換器の表面に凝縮して付着した空気中の水などの液体が溜まる。排水ポンプ５は、ドレンパン４内の水などの液体を外部に排出する。
【００４０】
排水ポンプ５は、図２及び図３（ａ）に示すように、ハウジング６（図３（ａ）に示す）と、モータ７と、羽根車８と、モータの防水構造（以下、単に防水構造と記す）９と、を備えている。ハウジング６は、前述の洗浄剤に対して耐食性を有する合成樹脂又は金属で構成された本体部１０及び流路部１１を備えている。本体部１０は、円筒状の筒部１２と、該筒部１２の一端を塞いだ円盤状の円板部１３とを一体に備えて、有底筒状に形成されている。筒部１２には、図３（ｂ）に示すように、雰囲気及び水などの液体を当該筒部１２内に出入り自在とする孔１２ａが設けられている。円板部１３の中央には、モータ７の後述する出力軸１９を通す孔が設けられている。また、円板部１３の上面は、当該円板部１３の中央に向かうにしたがって徐々に下方に向かうように傾斜している。さらに、円板部１３の中央部には、図３（ｂ）に示すように、水などの液体を下方に逃がすための孔１３ａが形成されている。
【００４１】
流路部１１は、吸い込み部１４と、ドレン排出口１５とを一体に備えている。吸い込み部１４は、円筒部１６と、切頭円錐状部１７と、吸い込み口部１８とを一体に備えている。円筒部１６は、円筒状に形成され、本体部１０の筒部１２の一端に取り付けられる。切頭円錐状部１７は、円筒部１６と同軸に配置されかつ当該円筒部１６から離れるのにしたがって、徐々に細くなる円筒状に形成されている。吸い込み口部１８は、円筒状に形成され、切頭円錐状部１７の中央に一端が連なって、当該切頭円錐状部１７から軸芯に沿って離れる方向に延在している。前述した流路部１１の吸い込み部１４の円筒部１６と切頭円錐状部１７と吸い込み口部１８とは、互いに同軸に配置されている。
【００４２】
ドレン排出口１５は、円筒状に形成され、一端が円筒部１６に連なって、当該円筒部１６即ち吸い込み口部１８内と連通している。ドレン排出口１５は、円筒部１６即ち吸い込み部１４から当該円筒部１６即ち吸い込み部１４の外周方向に直線状に延在している。
【００４３】
モータ７は、図３及び図４に示すように、円柱状の出力軸１９と、当該出力軸１９を軸芯回りに回転させる（回転駆動する）モータ本体２０とを備えている。出力軸１９は、その長手方向が鉛直方向と平行に配置され、ハウジング６の本体部１０の円板部１３の中央に設けられた孔内に通されている。出力軸１９の下端部には、流路部１１内に収容された羽根車８が取り付けられている。
【００４４】
モータ本体２０は、印刷配線板２１と、ステータ２２と、ロータ２３とを備えている。印刷配線板２１とステータ２２は、防水構造９の後述する上ケース２５などに固定されている。印刷配線板２１には、各種の電気部品が実装され後述するコイル２４が接続されている。ステータ２２には、コイル２４が巻かれている。コイル２４は、印刷配線板２１を介して外部から電圧が印加される。ロータ２３は、永久磁石で構成され、円環状に形成されて、出力軸１９の上端部の外周に嵌合している。このため、モータ７は、出力軸１９を下方に位置付け、出力軸１９を回転駆動するモータ本体２０を上方に位置付けて用いられる。
【００４５】
モータ本体２０は、ステータ２２に巻かれたコイル２４に印加されることで、出力軸１９を軸芯回りに回転させて、後述の羽根車８を回転させて、流路部１１の吸い込み部１４からドレンパン４内の水分を吸い込んで、当該水分をドレン排出口１５を通して、外部に排出する。羽根車８は、出力軸１９の下端部に取り付けられて、流路部１１内に収容されている。
【００４６】
防水構造９は、図３、図４、図６乃至図８に示すように、上ケース２５と、下ケース２６と、貫通孔２７と、係止突起２８と、軸受部３７（図３に示す）とを備えている。上ケース２５と下ケース２６は、前述の洗浄剤に対して耐食性を有する合成樹脂又は金属で構成されている。上ケース２５は、天井壁２９と、特許請求の範囲に記載された外壁としての周壁３０とを一体に備えている、天井壁２９は、円板状に形成されている。周壁３０は、円筒状に形成され、かつ、天井壁２９と同軸に配置されているとともに、天井壁２９の外縁から下方に向かって立設している。周壁３０には、その内外径が天井壁２９から離れるのにしたがって段階的に増加する段部３１が全周に亘って形成されている。
【００４７】
下ケース２６は、図５に示すように、平板状の底板３２と、該底板３２の外縁から立設した立設壁３３と、立設壁３３よりも内側に配置されかつ底板３２から立設した内壁３４とを一体に備えている。底板３２は、円板状に形成され、その中央に出力軸１９を通す貫通孔３５が設けられている。立設壁３３は、円筒状に形成されている。内壁３４は、円筒状に形成され、かつ底板３２及び立設壁３３と同軸に配置されている。内壁３４は、立設壁３３と間隔をあけて配置されている。内壁３４の上端の底板３２の底面３２ａからの高さＴ１は、立設壁３３の上端の底板３２の底面３２ａからの高さＴ２よりも高く形成されている。
【００４８】
貫通孔２７は、周壁３０を貫通して設けられ、周壁３０の周方向に間隔をあけて配置されている。貫通孔２７の平面形状は、横長の矩形状に形成されている。後述するように、貫通孔２７に係止突起２８が係止した状態で、図８に示すように、貫通孔２７の底板３２の底面３２ａから上部としての上縁までの高さＴ３よりも、前述した立設壁３３の高さＴ２が高く形成されている。
【００４９】
係止突起２８は、立設壁３３の外面から凸に形成され、図５に示すように、立設壁３３の周方向に間隔をあけて配置されている。係止突起２８は、図７及び図８に示すように、側方からみて山型に形成されている。係止突起２８は、貫通孔２７内に侵入して、当該貫通孔２７に係止可能である。
【００５０】
前述した上ケース２５と下ケース２６とは、図７及び図８に示すように、周壁３０の内面に立設壁３３の外面から重なり、かつ貫通孔２７内に係止突起２８が係止して、互いに取り付けられるとともに、内側にモータ本体２０を収容する。
【００５１】
前述した下ケース２６の立設壁３３には、図５に示すように、複数対のスリット３６が形成されている。複数対のスリット３６は、立設壁３３の周方向に互いに間隔をあけて配置されている。一対のスリット３６は、図６に示すように、互いの間に係止突起２８を位置付ける位置に配置され、立設壁３３の底板３２から離れた側の上端から該底板３２に向かって、当該立設壁３３を直線状に切り欠いて形成されている。
【００５２】
また、互いの間に係止突起２８を位置付ける一対のスリット３６間の間隔Ｄは、貫通孔２７の幅Ｈよりも大きく形成されて、貫通孔２７内に係止突起２８が係止すると、図６に示すように、貫通孔２７が立設壁３３によって塞がれる格好となる。
【００５３】
軸受部３７は、図示例では、二つ設けられて、出力軸１９の軸芯に沿って間隔をあけて配置されている。軸受部３７は、図１０に示すように、軸受３８と、フエルト３９と、押さえ部材４０とを備えている。軸受３８は、非金属あるいは金属の粉体を焼結することで得られ、外観が樽状の円筒状に形成されている。軸受３８は、図９に示すように、内側に出力軸１９を通して、当該出力軸１９の外周に嵌合している。また、軸受３８は、潤滑油を含浸している。
【００５４】
前述した軸受３８の内径は、出力軸１９の外径とほぼ等しく（若干小さく）形成されている。軸受３８の内周面と、出力軸１９の外周面との間には、４〜３０μｍ程度の隙間Ｓ（図１１に示す）が形成されている。
【００５５】
また、二つの軸受部３７の軸受３８の上下両端部の内周には、テーパ面４１が形成されている。テーパ面４１は、軸受３８の全周に亘って形成され、下方に向かうにしたがって、軸受３８の内径を徐々に拡げる方向に傾斜している。テーパ面４１の軸芯方向の全長は、軸受３８の軸芯方向の全長の約１０〜２０％程度に形成されている。さらに、テーパ面４１の開き角θ（図１０に示す）は、３０度〜９０度程度に形成されている。
【００５６】
フエルト３９は、円環状に形成され、かつ潤滑油を含浸している。フエルト３９は、その内側に軸受３８を配置している。押さえ部材４０は、薄手のトレー状に形成され、内側に出力軸１９を通している。押さえ部材４０は、上ケース２５の天井壁２９又は下ケース２６の底板３２に取り付けられて、これらとの間に軸受３８及びフエルト３９を挟みこんで、軸受部３７をケース２５，２６に固定する。
【００５７】
軸受部３７は、軸受３８の内側に接して出力軸１９が回転し、かつ押さえ部材４０に対して軸受３８が首振り摺動することで、出力軸１９を回転自在に支持する。そして、軸受部３７は、前述したテーパ面４１を設けているので、このテーパ面４１上に潤滑油を一旦溜める。そして、軸受部３７は、出力軸１９の回転によって、テーパ面４１上に溜められた潤滑油を軸受３８で吸収して、図１２中の矢印で示すように、潤滑油を上方に向かって移動させるとともに、図１１中の矢印で示すように、軸受３８の周方向に循環させる。こうして、軸受部３７は、軸受３８に前述したテーパ面４１を設けることで、潤滑油が下方に垂れることを防止する。
【００５８】
また、二つの軸受部３７のうちの下方に位置する軸受部３７の近傍には、図９及び図１０に示すように、出力軸１９の外周に円環状のワッシャ４３が取り付けられている。ワッシャ４３は、平坦な円環状に形成されている。さらに、下ケース２６の底板３２の中央部には、円筒部４４が一体に設けられている。円筒部４４は、底板３２の中央に設けられた貫通孔３５の内縁から下方に向かって延在した筒部４４ａと、この筒部４４ａの底板３２から離れた側の縁から内周方向に延在した内側フランジ部４４ｂとを一体に備えている。円筒部４４は、その内側に前述したワッシャ４３を配置している。このように設けられたワッシャ４３と円筒部４４とは、室内機２に吹き付けられた加圧された洗浄剤や水などの液体が下ケース２６と出力軸１９との間を通して、ケース２５，２６内に浸入することを防止するとともに、ごみや埃などが軸受３８に付着することを規制する。
【００５９】
さらに、前述した排水ポンプ５の上ケース２５には、室内機２の天板３などに直接ねじなどによって固定されるための固定片４５が一体に設けられている。
【００６０】
前述した防水構造９は、貫通孔２７に係止突起２８が係止して、ケース２５，２６内にモータ７のモータ本体２０を収容するとともに、前述した内壁３４を備えて、前述した高さＴ１，Ｔ２，Ｔ３、間隔Ｄ及び幅Ｈに形成されることで、ケース２５，２６の外側から当該ケース２５，２６内に洗浄剤や水などの液体が浸入することを防止して、当該モータ本体２０に液体が付着することを防止する。
【００６１】
本実施形態によれば、防水構造９は、上ケース２５の外壁としての周壁３０を貫通した貫通孔２７よりも下ケース２６の立設壁３３が高く形成されているので、貫通孔２７内に浸入しようとする洗浄液や水などの液体が立設壁３３を越えて下ケース２６内に浸入することを防止できる。このように、防水構造９は、貫通孔２７内に浸入しようとする洗浄液や水などの液体が立設壁３３を越えて下ケース２６内に浸入することを防止できるので、洗浄液や水などの液体がモータ本体２０の印刷配線板２１に実装及び接続された電気部品に付着することを防止できる。
【００６２】
また、防水構造９は、立設壁３３よりも内側の内壁３４を下ケース２６に設けているので、たとえ立設壁３３を越えて下ケース２６内に浸入した液体が内壁３４よりも内側に浸入することを防止できる。このように、防水構造９は、立設壁３３を越えて下ケース２６内に浸入した液体が内壁３４よりも内側に浸入することを防止できるので、洗浄液や水などの液体がモータ本体２０の印刷配線板２１に実装及び接続された電気部品に付着することを防止できる。
【００６３】
防水構造９は、内壁３４が立設壁３３よりも高く形成されているので、たとえ立設壁３３を越えて下ケース２６内に浸入した液体が直接内壁３４を越えることを防止できる。このように、防水構造９は、たとえ立設壁３３を越えて下ケース２６内に浸入した液体が直接内壁３４を越えることを防止できるので、洗浄液や水などの液体がモータ本体２０の印刷配線板２１に実装及び接続された電気部品に付着することを防止できる。
【００６４】
防水構造９は、立設壁３３に互いの間に係止突起２８を位置付けるスリット３６を設けている。このため、立設壁３３と内壁３４との間に侵入した水などの液体をスリット３６を通して、外部に排出することができる。このように、防水構造９は、立設壁３３と内壁３４との間に浸入した水などの液体を、スリット３６を通して、外部に排出することができるので、当該液体がモータ本体２０の印刷配線板２１に実装及び接続された電気部品に付着することを防止できる。
【００６５】
また、防水構造９は、スリット３６を通して、図７中の矢印で示すように、上ケース２５及び下ケース２６の内外を連通できるので、勿論、ケース２５，２６の内外を雰囲気が移動することを許容できる。このように、防水構造９は、スリット３６を通してケース２５，２６の内外を雰囲気が移動することを許容するので、ケース２５，２６内の雰囲気が膨張又は収縮しても、雰囲気が出力軸１９を回転自在に支持する軸受３８の隙間を通ることがない。このため、当該軸受３８の潤滑油が前述した隙間を通る雰囲気によって、外部に押し出されることを防止できる。
【００６６】
防水構造９は、スリット３６間の間隔Ｄが貫通孔２７の幅Ｈよりも大きく形成されているので、係止突起２８が貫通孔２７に係止すると、貫通孔２７が係止突起２８と立設壁３３とによって確実にふさがれる。このため、防水構造９は、貫通孔２７を通してケース２５，２６内に液体が浸入することを防止でき、当該液体がケース２５，２６内に収容されたモータ本体２０の印刷配線板２１に実装及び接続された電気部品に付着することを防止できる。
【００６７】
排水モータ７は、前述した防水構造９を備えているので、貫通孔２７内に浸入しようとする洗浄液や水などの液体が立設壁３３を越えて下ケース２６内に浸入することを防止でき、当該液体がケース２５，２６内に収容されたモータ本体２０の印刷配線板２１に実装及び接続された電気部品に付着することを防止できる。
【００６８】
空気調和機１は、前述した排水ポンプ５を備えているので、貫通孔２７内に浸入しようとする洗浄液や水などの液体が立設壁３３を越えて下ケース２６内に浸入することを防止でき、当該液体がケース２５，２６内に収容されたモータ本体２０の印刷配線板２１に実装及び接続された電気部品に付着することを防止できる。
【００６９】
また、排水ポンプ５は、前述した構成の円筒部４４及びワッシャ４３を備えているので、ごみや埃が軸受３８に付着することを防止でき、ごみや埃により油道（潤滑油が流れる経路）が形成されることを防止できる。したがって、軸受３８の潤滑油が漏れることを防止できる。
【００７０】
さらに、円板部１３の上面を前述したように中央に向かうにしたがって徐々に下方に傾斜させ、中央に孔１３ａを設けたので、ハウジング６の本体部１０内に浸入した水などの液体を速やかに流路部１１内に導くことができる。
【００７１】
また、本発明の防水構造９では、図１３に示すように、上ケース２５の周壁３０の内面に、周壁３０の内径を天井壁２９から離れるのにしたがって段階的に増加する段部４６を全周に亘って形成しても良い。
【００７２】
また、本発明では、図１４及び図１５に示すように、上ケース２５の周壁３０の内面に、内壁３４の上端部を当接させる当接部４７を全周に亘って形成しても良い。この場合、当接部４７は、図１４及び図１５に示すように、上ケース２５の外周に向かうにしたがって、徐々に下ケース２６の底板３２に近づく方向にテーパ状に形成されているのが望ましい。
【００７３】
これらの図１４及び図１５に示す場合では、防水構造９は、上ケース２５に内壁３４の上端部が当接する当接部４７を設けているので、下ケース２６内に浸入した液体が内壁３４よりも内側に浸入することを確実に防止できる。したがって、洗浄液や水などの液体がモータ本体２０の印刷配線板２１に実装及び接続された電気部品に付着することを防止できる。
【００７４】
さらに、図１４及び図１５に示す場合では、防水構造９は、当接部４７が外周に向かうにしたがって徐々に底板３２に近づく方向に傾斜しているので、確実に内壁３４の上端部が当該当接部４７に当接でき、下ケース２６内に浸入した液体が内壁３４よりも内側に浸入することをより確実に防止できる。したがって、洗浄液や水などの液体がモータ本体２０の印刷配線板２１に実装及び接続された電気部品に付着することを防止できる。
【００７５】
さらに、本発明では、図１６及び図１７に示すように、上ケース２５に立設壁３３と内壁３４との間に向かって立設した中間壁４８を全周に亘って形成しても良い。この場合、中間壁４８を内壁３４の上端部に当接させてもよく、当接させなくても良い。
【００７６】
これらの図１６及び図１７に示す場合では、防水構造９は、上ケース２５に立設壁３３と内壁３４との間に向かって立設した中間壁４８を設けているので、たとえ立設壁３３を越えて下ケース２６内に浸入した液体が内壁３４にたどり着くことを防止できる。したがって、洗浄液や水などの液体がモータ本体２０の印刷配線板２１に実装及び接続された電気部品に付着することを防止できる。
【００７７】
なお、図１３乃至図１７において、前述した実施形態と同一部分には、同一符号を付して説明を省略する。
【００７８】
また、本発明では、軸受３８にテーパ面４１を設けずに、図１８に示すように、その内周面に段部４９を設けても良い。段部４９は、軸受３８の上下両端部に設けられ、軸受３８の端に向かうにしたがって、その内径を段階的に拡げるように段状に形成されている。先述した段部４９の高さＴ即ち出力軸１９の外周面と段部４９の内面との間の間隔Ｔは、０．５ｍｍ未満とするのが望ましく、更に０．３ｍｍ±０．２ｍｍ程度とするのが望ましい。さらに、段部４９の軸芯方向の長さは、軸受３８の軸芯方向の長さの２０％未満とするのが望ましい。この場合も、潤滑油が前述した段部４９内に溜まって、下方に垂れることを防止できる。なお、図１８において、前述した実施形態と同一部分には同一符号を付して説明を省略する。
【００７９】
また、本発明では、図１９に示すように、ワッシャ４３を、円筒部４４よりも下方に配置してもよく、図２０に示すように、ワッシャ４３を切頭円錐状に形成しても良い。この様にすることにより、流れ出た潤滑油を軸受に飛ばし戻す効果がある。なお、図１９及び図２０において、前述した実施形態などと同一部分には、同一符号を付して説明を省略する。
【００８０】
さらに、本発明では、図２１及び図２２に示すように、円筒部４４の形状を種々変更しても良い。なお、これらの図２１及び図２２において、前述した実施形態などと同一部分には、同一符号を付して説明を省略する。
【００８１】
図２１では、内側フランジ部４４ｂを筒部４４ａの軸芯方向の中央部から凸に形成している。図２２では、内側フランジ部４４ｂを筒部４４ａの内面から凸でかつらせん状に形成されて筒部４４ａの全長に亘って設けている。さらに、本発明では、円筒部４４を出力軸１９全体を大きく囲むように形成しても良い。
【００８２】
また、本発明の発明者らは、軸受３８に設けられたテーパ面４１と、段部４９の効果を確認した。まず、テーパ面４１の開き角θが異なる（０度、３０度、６０度、９０度、１８０度）複数の軸受３８を製作し、当該軸受３８の内側に出力軸１９を通した状態で、０．１ｃｃずつ潤滑油を軸受３８と出力軸１９との間に流して、軸受３８の下側の雫の形成される格好を比較して、雫が流れ始めた潤滑油の滴数とテーパ面４１の開き角θとの関係を以下の表１及び図２３に示す。
【００８３】
【表１】
2008291780.tif 000003
【００８４】
表1及び図２３によれば、開き角θが３０度〜９０度であると、潤滑油が球になって流れたり、片側に溜まって流れたりしないことが明らかになり、開き角θが３０度よりも小さいと、潤滑油が出力軸１９を伝って流れることが明らかになり、開き角θが９０度を越えると、潤滑油が軸受３８の下の1箇所に溜まって流れることが明らかになった。
【００８５】
また、段部４９の高さＴ（０ｍｍ、０．１ｍｍ、０．２ｍｍ、０．３ｍｍ、０．５ｍｍ、１．０ｍｍ）の異なる複数の軸受３８を製作し、当該軸受３８の内側に出力軸１９を通した状態で、０．１ｃｃずつ潤滑油を軸受３８と出力軸１９との間に流して、軸受３８の下側の雫の形成される格好を比較して、雫が流れ始めた潤滑油の滴数と段部４９の高さＴとの関係を以下の表２及び図２４に示す。
【００８６】
【表２】
2008291780.tif 000004
【００８７】
表２及び図２４によれば、段部４９の高さＴが０．５ｍｍ未満で、更に０．１ｍｍ〜０．５ｍｍの範囲内であると、潤滑油が球になって流れたり、片側に溜まって流れたりしないことが明らかになり、段部４９の高さＴが０．１ｍｍ未満であると、潤滑油が出力軸１９を伝って流れることが明らかになり、段部４９の高さＴが０．５ｍｍを越えると、潤滑油が軸受３８の下の1箇所に溜まって流れることが明らかになった。
【００８８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８９】
【図１】本発明の一実施形態にかかる空気調和機の要部を示す断面図である。
【図２】図１に示された空気調和機の排水ポンプの側面図である。
【図３】（ａ）は図２に示された排水ポンプの断面図であり、（ｂ）は図３中のＩＩＩＢ−ＩＩＩＢ線に沿う断面図である。
【図４】図２に示された排水ポンプのモータとモータの防水構造を示す側面図である。
【図５】図４に示されたモータの防水構造の下ケースの平面図である。
【図６】図４中のＶＩ部を拡大して示す側面図である。
【図７】図６中のＶＩＩ−ＶＩＩ線に沿う断面図である。
【図８】図６中のＶＩＩＩ−ＶＩＩＩ線に沿う断面図である。
【図９】図２に示された排水ポンプの軸受部の軸受などを示す断面図である。
【図１０】図２に示された排水ポンプの軸受部を拡大して示す断面図である。
【図１１】図１０中のＸＩ−ＸＩ線に沿う断面図である。
【図１２】図１０に示された軸受部の要部を拡大して示す断面図である。
【図１３】図８に示されたモータの防水構造の変形例の断面図である。
【図１４】図８に示されたモータの防水構造の他の変形例の断面図である。
【図１５】図８に示されたモータの防水構造の更に他の変形例の断面図である。
【図１６】図８に示されたモータの防水構造の別の変形例の断面図である。
【図１７】図８に示されたモータの防水構造の別の他の変形例の断面図である。
【図１８】図１０に示された軸受部の変形例を拡大して示す断面図である。
【図１９】図１０に示された軸受部の他の変形例を拡大して示す断面図である。
【図２０】図１０に示された軸受部の更に他の変形例を拡大して示す断面図である。
【図２１】図１０に示された軸受部の変形例を拡大して示す断面図である。
【図２２】図１０に示された軸受部の他の変形例を拡大して示す断面図である。
【図２３】図１０に示された軸受部の軸受の開き角と潤滑油の保持との関係を示す説明図である。
【図２４】図１８に示された軸受部の軸受の段部の高さと潤滑油の保持との関係を示す説明図である。
【符号の説明】
【００９０】
１  空気調和機
５  排水ポンプ
７  モータ
８  羽根車
９  モータの防水構造
１９  出力軸
２０  モータ本体
２５  上ケース
２６  下ケース
２７  貫通孔
２８  係止突起
３０  周壁（外壁）
３２  底板
３２ａ  底面
３３  立設壁
３４  内壁
３６  スリット
４７  当接部
Ｄ  スリット間の間隔
Ｈ  貫通孔の幅
Ｔ１  内壁の高さ
Ｔ２  立設壁の高さ
Ｔ３  貫通孔の高さ
【図１】
2008291780.tif 000005
【図２】
2008291780.tif 000006
【図３】
2008291780.tif 000007
【図４】
2008291780.tif 000008
【図５】
2008291780.tif 000009
【図６】
2008291780.tif 000010
【図７】
2008291780.tif 000011
【図８】
2008291780.tif 000012
【図９】
2008291780.tif 000013
【図１０】
2008291780.tif 000014
【図１１】
2008291780.tif 000015
【図１２】
2008291780.tif 000016
【図１３】
2008291780.tif 000017
【図１４】
2008291780.tif 000018
【図１５】
2008291780.tif 000019
【図１６】
2008291780.tif 000020
【図１７】
2008291780.tif 000021
【図１８】
2008291780.tif 000022
【図１９】
2008291780.tif 000023
【図２０】
2008291780.tif 000024
【図２１】
2008291780.tif 000025
【図２２】
2008291780.tif 000026
【図２３】
2008291780.tif 000027
【図２４】
2008291780.tif 000028